(57)【要約】【課題】車内における実際の利用態様に合わせたモニタの自動開閉を可能にする。【解決手段】モニタ収納検出部、ヘッドフォン収納検出部およびリモコン収納検出部の検出出力に基づいて、表示部が閉じている場合においてヘッドフォンおよびリモコンの中のいずれか一つでも取り外されていると判定した場合には、表示部を開くように開閉駆動モータを制御し、表示部が開いている場合においてヘッドフォンおよびリモコンのすべてが収納されていると判定した場合には、表示部を閉じるように開閉駆動モータを制御する開閉装置制御部を備えたものである。【選択図】図２
2008120261.tif 000002
【特許請求の範囲】
【請求項１】
表示部が自動開閉式の車載モニタ装置において、
前記表示部に対する開閉動作を行う開閉駆動モータと、
前記表示部が閉じているか開いているかを検出するモニタ収納検出部と、
ヘッドフォンが所定の収納場所に収納されているか否かを検出するヘッドフォン収納検出部と、
リモコンが所定の収納場所に収納されているか否かを検出するリモコン収納検出部と、
前記モニタ収納検出部、前記ヘッドフォン収納検出部および前記リモコン収納検出部の検出出力に基づいて、前記表示部が閉じている場合においてヘッドフォンおよびリモコンの中のいずれか一つでも取り外されていると判定した場合には、前記表示部を開くように前記開閉駆動モータを制御し、前記表示部が開いている場合においてヘッドフォンおよびリモコンのすべてが収納されていると判定した場合には、前記表示部を閉じるように前記開閉駆動モータを制御する開閉装置制御部とを備えたことを特徴とする車載モニタ装置。
【請求項２】
モニタの映像表示処理系電源をオン、オフ制御するオン・オフ制御部を備え、
開閉装置制御部は、表示部を開くときに映像表示処理系電源をオンとし、前記表示部を閉じるときに前記映像表示処理系電源をオフとするように前記オン・オフ制御部を制御することを特徴とする請求項１記載の車載モニタ装置。
【請求項３】
当該装置外の映像信号源から入力される映像信号の有無を検出する映像信号入力検出部を備え、
開閉装置制御部は、ヘッドフォンおよびリモコンのすべてが収納され、かつ前記映像信号入力検出部の検出出力に基づいて映像信号が無いと判定された場合にのみ表示部を閉じるように前記開閉駆動モータを制御することを特徴とする請求項１または請求項２記載の車載モニタ装置。
【請求項４】
開閉装置制御部は、表示部を閉じる際の前後動作に伴って、映像信号を入力している当該装置外の映像情報源の動作を終了させることを特徴とする請求項１または請求項２記載の車載モニタ装置。
【請求項５】
ヘッドフォンとこれに対応するヘッドフォン収納検出部を複数個設けたこと特徴とする請求項１から請求項４のうちのいずれか１項記載の車載モニタ装置。
【発明の詳細な説明】
【技術分野】
【０００１】
この発明は、モニタの表示部が自動的に開閉制御される車載モニタ装置に関するものである。
【背景技術】
【０００２】
モニタを、例えば車内天井に取り付け、後部座席で観賞できるようにした車載モニタ装置がある。また、この種の装置で、収納可能な表示部を持ち、動作中は表示部を開いて映像を観賞できるようにし、不使用時には表示部を折り畳んで収納し、視界の妨げとならないようにしたり、不用意に画面を損傷させないように対処したものがある。さらに、表示部の開閉操作を使用者が意識的に行うわずらわしさを解消するために、開閉動作を自動的に制御するようにした技術がある（例えば特許文献１参照）。この技術は、ヘッドフォンの耳部への着脱状態を装着検出手段により検出して表示画面の開閉動作を自動的に行うものである。
【０００３】
【特許文献１】特開２００３−３１７４５５号公報
【発明の開示】
【発明が解決しようとする課題】
【０００４】
特許文献１に記載された従来の車載モニタ装置は、以上のように自動的に表示部を自動的に開閉する構成としているが、装着検出手段をヘッドフォン側に備えているため、ヘッドフォンを特殊な構造にしなければならず、汎用品を適用できなくしている。また、やむを得ず頭部からヘッドフォンを一時的に外すような場合、使用者が意図しないのにモニタ画面が閉じてしまい、映像も途絶えてしまうという不都合が生じるという問題がある。
【０００５】
この発明は、上記問題点を解決するためになされたもので、車内における実際の利用態様に合わせたモニタの自動開閉を可能にする車載モニタ装置を得ることを目的とする。
【課題を解決するための手段】
【０００６】
この発明に係る車載モニタ装置は、表示部が自動開閉式の車載モニタ装置において、表示部に対する開閉動作を行う開閉駆動モータと、表示部が閉じているか開いているかを検出するモニタ収納検出部と、ヘッドフォンが所定の収納場所に収納されているか否かを検出するヘッドフォン収納検出部と、リモコンが所定の収納場所に収納されているか否かを検出するリモコン収納検出部と、モニタ収納検出部、ヘッドフォン収納検出部およびリモコン収納検出部の検出出力に基づいて、表示部が閉じている場合においてヘッドフォンおよびリモコンの中のいずれか一つでも取り外されていると判定した場合には、表示部を開くように開閉駆動モータを制御し、表示部が開いている場合においてヘッドフォンおよびリモコンのすべてが収納されていると判定した場合には、表示部を閉じるように開閉駆動モータを制御する開閉装置制御部とを備えたものである。
【発明の効果】
【０００７】
この発明によれば、ヘッドフォンを頭部から外しただけで表示部が閉じ、映像が途絶えてしまうというような不都合が起るのを防止することができる。また、それぞれの収納場所にヘッドフォンとリモコンの両方を収納しなければ表示部は閉じないため、付属品を紛失して次の使用時に探さなければならないというような問題を防ぐこともできる。また、ヘッドフォンは市販されている汎用品を使用できる。
【発明を実施するための最良の形態】
【０００８】
実施の形態１．
図１はこの発明の実施の形態１に係る車載モニタ装置の車内配置を示す説明図である。図２はこの発明の実施の形態１による車載モニタ装置のモニタ開閉の機能構成を示すブロック図である。この実施の形態１では、自動車の後部座席用のモニタとし、その付属品として２個のヘッドフォン、１個のリモートコントローラ（以下、単位に「リモコン」とする）を備えた例について説明する。
図１において、モニタ１０は、車内の天井に取り付けられ、制御される開閉駆動モータ６の駆動により開閉される表示部１１を持つ構造となっている。表示部１１は、開いているときには、画面側を後部座席２２側に向け映像を表示する状態を形成し、一方、閉じたときには、画面側を本体側に納めて反対側がカバーとして機能するように構成されている。モニタ１０には、表示部１１が閉じているか開いているかを検出するモニタ収納検出部４が設けられている。
また、表示部１１を自動開閉するこの発明の機能に加え、使用者がリモコン操作を含む開閉設定をスイッチ操作で行うための操作部８が適当な位置に設けられている。
【０００９】
例えば前部座席２１の中間の収納ボックスの後部に、ヘッドフォンおよびリモコンの収納場所が設けられている。ヘッドフォンの収納場所には、ヘッドフォンが所定の収納場所に収納されているか否かを検出するヘッドフォン収納検出部１，２が設けられている。このヘッドフォン収納検出部１，２は、例えばヘッドフォン１３を吊り下げるフックスイッチやヘッドフォンの有無を光で検出する光センサなどで構成されているものとする。また、リモコンの収納場所には、リモコンが所定の収納場所に収納されているか否かを検出するリモコン収納検出部３が設けられている。このリモコン収納検出部３は、例えばローラレバーを用いたマイクロスイッチやリモコンの有無を光で検出する光センサなどで構成されているものとする。
【００１０】
モニタ１０は、上述したヘッドフォン収納検出部１，２、リモコン収納検出部３、開閉駆動モータ６、操作部８のほかに、図２に示すように内部に、オン・オフ制御部７、映像信号入力検出部９および開閉装置制御部５を備えている。
オン・オフ制御部７は、モニタ１０の映像表示処理系の電源をオン、オフ制御する手段である。映像信号入力検出部９は、ＤＶＤなどの映像信号源から入力される映像信号の有無を検出する手段である。開閉装置制御部５は、各検出部からの検出出力に基づいて、表示部１１の開閉を行う開閉駆動モータ６を制御するとともに、表示部１１の開閉に対応させてオン・オフ制御部７を制御する手段で、例えばマイクロコンピュータで構成される。
【００１１】
次に、動作について図３のフローチャートに従って説明する。
自動車のイグニションがオンされると、開閉制御装置制御部５では、まず、モニタ収納検出部４の検出出力により表示部１１が閉じられて収納されているか否かを判定する（ステップＳＴ１）。モニタ１０が収納状態（すなわち、表示部１１が閉じた状態）にある場合（ステップＳＴ２）には、ヘッドフォン収納検出部１，２の検出出力によってヘッドフォンの収納場所からヘッドフォンが取り出されているか否かを判定する（ステップＳＴ３）。ヘッドフォンが一つでも取り出されていた場合、開閉装置制御部５は、モニタ１０がこれから使用されるものと判断し、開閉駆動モータ６を駆動して表示部１１を開くとともに、オン・オフ制御部７に制御信号を送ってモニタ１０の映像表示処理系の電源をオンにする（ステップＳＴ５）。これにより、モニタ１０は再生動作に入り表示を行う。
【００１２】
また、ステップＳＴ３において、ヘッドフォンが一つも取り出されていなかった場合、開閉装置制御部５は、リモコン収納検出部３の検出出力によりリモコンの収納場所からリモコンが取り出されているか否かを判定する（ステップＳＴ４）。リモコンが取り出されていた場合、開閉装置制御部５は、モニタ１０がこれから使用されるものと判断し、開閉駆動モータ６を駆動して表示部１１を開くとともに、オン・オフ制御部７に制御信号を送って映像表示処理系の電源をオンにする（ステップＳＴ５）。これにより、モニタ１０は開いて再生動作に入り表示を行う。
上記動作によれば、ヘッドフォンおよびリモコンのいずれか一つでも取り出されていれば、自動的に表示部１１が開かれ、映像表示処理系の電源が入ってモニタ１０は再生動作状態に移ることができる。
【００１３】
次に、モニタ１０が使用状態にある場合（ステップＳＴ６）、開閉装置制御部５は、ヘッドフォン検出部１，２の検出出力によってすべての、ヘッドフォンがその収納場所に収納されたか否かを判定する（ステップＳＴ７）。ヘッドフォンがすべて収納された場合、開閉装置制御部５は、リモコン収納検出部３の検出出力により、リモコンがその収納場所に収納されたか否かを判定する（ステップＳＴ８）。リモコンも収納されていると判定した場合、開閉装置制御部５は、映像信号入力検出部９の検出出力によりモニタが再生中か否かを判定する（ステップＳＴ９）。ここで、リモコンを用いてＤＶＤなどの映像情報源の再生動作を事前に終了させれば映像信号が検出されないため、再生中ではないと判定され、制御装置制御部５は、開閉駆動モータ６を駆動して表示部１１を閉じるとともに、オン・オフ制御部７に制御信号を送ってモニタの映像表示処理系の電源をオフにし（ステップＳＴ１０）、モニタの使用を終了する。
【００１４】
一方、ステップＳＴ７でヘッドフォンがすべて収納されていないとの判定された場合、ステップＳＴ８でリモコンが収納されていないと判定された場合、ステップＳＴ９でモニタが再生中であると判定された場合の一つでも成立していると、表示部１１が開いた状態（ステップＳＴ６）は維持される。したがって、ヘッドフォンを頭部から一時的に外すようなことがあった場合でも、リモコンの収納および映像情報源の終了を行っていない限り、モニタ１０は収納されることはない。また、長時間の映像情報観賞時においては、リモコンを収納場所に収納しておく場合が起こり得るが、上記例の場合、ヘッドフォンも収納されていなければ、不要にモニタ１０を収納してしまうこともない。
なお、この実施の形態１の場合、各検出部とは別に、使用者がリモコンを含む操作部８の機能として、モニタの開閉、モニタ電源のオン・オフを制御する設定を行えるようにしている。
【００１５】
以上のように、この実施の形態１によれば、モニタ収納検出部４、ヘッドフォン収納検出部１，２およびリモコン収納検出部３の検出出力に基づいて、表示部２１が閉じている場合にヘッドフォンおよびリモコンの中のいずれか一つでも取り外されていると判定した場合には、表示部１１を開くように開閉駆動モータ６を制御するとともに、映像表示処理系電源をオンとするようにオン・オフ制御部７を制御するようにしている。一方、表示部１１が開いている場合にヘッドフォンおよびリモコンのすべてが収納されていると判定した場合には、さらに映像信号入力検出部９の検出出力から入力映像信号の有無を判定し、入力映像信号が無い場合にのみ、表示部１１を閉じるように開閉駆動モータ４を制御するとともに、映像表示処理系電源をオフとするようにオン・オフ制御部７を制御するようにしている。したがって、一時的にヘッドフォンを頭部から外しただけで表示部が閉じ、映像が途絶えてしまうというような不都合が起るのを防止することができる。また、使用時には付属品であるヘッドフォンかリモコンのいずれかを収納場所から外せば、直ちに表示部が開いて電源が入るため使い勝手がよい。さらに、それぞれの収納場所にヘッドフォンとリモコンの両方を収納しなければ表示部は閉じないため、付属品を紛失して次の使用時に探さなければならないというような問題を防ぐことができる。また、ヘッドフォンやリモコンの収納検知には収納場所にある機械的なスイッチや光センサ等を設けるだけで可能であり、簡単な構造で実現可能である。また、ヘッドフォンは市販されている汎用品を使用でき、リモコンも手を加えずそのまま使用できるため、新規な機能を施した付属品とする必要がない。
【００１６】
なお、この実施の形態１の場合、使用するヘッドフォンの数を２個とした例を説明したが、モニタに対して１個だけ使用するシステムの場合には、ヘッドフォン収納検出部は１個でよく、また、３個以上とした場合には、同じ数設けることになる。
また、開閉装置制御部５により、表示部１１を閉じる際の前後動作に伴って、映像信号を入力している当該装置外の映像情報源の動作を終了させる構成としてもよい。例えば、ステップＳＴ９の判定でモニタが再生中と判定された場合に、開閉装置制御部５が直接映像情報源の動作を終了させる制御を行った後、ステップＳＴ１０に移るようにしてもよい。また他の例として、映像信号入力検出部９を用いない構成、すなわちステップＳＴ９の判定を行わないようにしておき、上記ステップＳＴ７、ＳＴ８でヘッドフォンとリモコンのすべてが収納されたことを判定した場合に、開閉装置制御部５が直接映像情報源の動作を終了させる制御を行った後、ステップＳＴ１０に移るようにしてもよい。さらに他の例として、ヘッドフォン、リモコンのすべてが収納されていることを判定した場合に、そのままステップＳＴ１０の動作に移り、次のモニタ収納検出部４の検出出力の判定動作（ステップＳＴ１）で、モニタが収納状態となっていると確認したとき（ステップＳＴ２）に、開閉装置制御部５が直接映像情報源の動作を終了させる制御を行う構成としてもよい。これらの場合、映像情報源を制御する方法としては、信号線を用いてもよいし、リモコンと同様に赤外線などを用いて行うようにしてもよい。以上のようにすることにより、リモコンによる映像情報の消し忘れに対して対応することが可能となる。
【００１７】
また、上記例では、天井に設置する構造のモニタについて説明してきたが、モニタは車両が大型でスペースを十分とれるような場合には使用者の視線が下方に向けられる位置に設置されることもあるので、そのような場合にもこの発明は同様に適用可能である。さらに、表示画面（スクリーン）が適当な角度で固定されており、表示画面に対しするカバーのみを開閉できるようにした構造のモニタがあるが、この構造も、この発明を適用できる、表示部の開閉を行う構造として考えることができる。
【図面の簡単な説明】
【００１８】
【図１】この発明の実施の形態１に係る車載モニタ装置の車内配置を示す説明図である。
【図２】この発明の実施の形態１による車載モニタ装置のモニタ開閉の機能構成を示すブロック図である。
【図３】この発明の実施の形態１に係るモニタの開閉制御の動作を示すフローチャートである。
【符号の説明】
【００１９】
１，２  ヘッドフォン収納検出部、３  リモコン収納検出部、５  開閉装置制御部、６  開閉駆動モータ、７  オン・オフ制御部、８  操作部、９  映像信号入力検出部、１０  モニタ、１１  表示部、１３  ヘッドフォン。
【図１】
2008120261.tif 000003
【図２】
2008120261.tif 000004
【図３】
2008120261.tif 000005